(57)【要約】【課題】本発明は簡単な構造で結合し、導通不良を生じる可能性がなく、電磁界分布や特性インピーダンスが連続し、また、伝播モードが一致し、材質、長さ、形状の相違による接触抵抗のバラツキがない中心導体間の無線周波数帯の接続構造を提供する。【解決手段】本目的は少なくとも、２つの接続対象物と接続する中心導体１２と、中心導体１２を保持する絶縁体１４と、絶縁体１４を保持する外部導体１６とを備える同軸コネクタ１０であって、２つの同軸コネクタ１０の中心導体１２間の無線周波数帯の接続構造において、２つの中心導体１２間に、導電体２０、２２を配置し、導電体２０、２２と中心導体１２とを、導電体２０、２２の一部と中心導体１２とがラップし、かつ、非接触状態に保持する保持手段を設けることを特徴とする中心導体１２間の無線周波数帯の接続構造より達成できる。【選択図】  図１
2013051162.tif 000002
【特許請求の範囲】
【請求項１】
少なくとも、２つの接続対象物と接続する中心導体と、該中心導体を保持する絶縁体と、該絶縁体を保持する外部導体と、を備える同軸コネクタであって、
２つの前記同軸コネクタの中心導体間の無線周波数帯の接続構造において、
２つの前記中心導体間に、導電体を配置し、
前記導電体と前記中心導体とを、前記導電体の一部と前記中心導体とがラップし、かつ、非接触状態に保持する保持手段を設けることを特徴とする中心導体間の無線周波数帯の接続構造。
【請求項２】
前記保持手段として、筒状のインシュレータ内に、前記導電体を両端が突出しないように軽圧入するか、若しくは、前記導電体を挿入した後に前記インシュレータの両端を別の絶縁性の蓋で栓をするかし、前記導電体が軽圧入されるか、若しくは、蓋がされるかした状態の、前記インシュレータを前記中心導体に装着することを特徴とする請求項１記載の中心導体間の無線周波数帯の接続構造。
【請求項３】
前記保持手段として、前記導電体の両端に、両端を覆う絶縁性の部材を固定し、この状態の前記導電体を前記中心導体に装着することを特徴とする請求項１記載の中心導体間の無線周波数帯の接続構造。
【請求項４】
前記導電体及び前記インシュレータの材質、形状及び長さを変えることにより使用周波数帯を変更することを特徴とする請求項１、２または３記載の中心導体間の無線周波数帯の接続構造。
【請求項５】
前記導電体及び前記インシュレータの長さを、短尺（物理長短縮）にすることにより高域周波数帯用とし、長尺（物理長延長）にすることにより低域周波数帯用とすることを特徴とする請求項４記載の中心導体間の無線周波数帯の接続構造。
【請求項６】
前記導電体の形状を、棒状にすることにより高域周波数帯用とし、コイル状にすることにより波長短縮して低域周波数帯用とすることを特徴とする請求項４または５記載の中心導体間の無線周波数帯の接続構造。
【請求項７】
前記インシュレータの材質を、低誘電率にすることにより高域周波数帯用とし、高誘電率にすることにより波長短縮して低域周波数帯用とすることを特徴とする請求項４、５または６記載の中心導体間の無線周波数帯の接続構造。
【請求項８】
請求項１〜７項のうちいずれか１項記載の中心導体間の無線周波数帯の接続構造を用いる同軸コネクタ。
【発明の詳細な説明】
【技術分野】
【０００１】
本発明は、電気・電子機器や通信機器に使用される同軸コネクタに関するもので、特に、中心導体間の無線周波数帯の接続構造に関するものである。
【背景技術】
【０００２】
一般的に、同軸コネクタは、少なくとも中心導体と該中心導体を保持する絶縁体と該絶縁体を保持する外部導体とを備えている。前記同軸コネクタが相手物と信号のやり取りをする場合には、前記中心導体が相手物と接触することで行われことが多い。つまり、前記中心導体と相手物を接触させることで、電気信号のやり取りを行っている。
移動体通信機の増幅器等においては、特許文献１のように、直流バイアス等のＤＣ（直流）成分を、入出力信号からカットして、帯域内の高周波成分のみを取り出すＤＣカット回路が用いられている。同軸コネクタ間で、ＤＣ成分をカットするには、同軸コネクタ間に特許文献１のような基板を含んだ筐体を介在させなければならない。また、ＤＣ成分をカットする方法としては、中心導体にチップコンデンサを入れることにより、高周波には影響を与えずＤＣのみをカットするものがある。
ＤＣ成分をカットした状態だけで、基板に接続しても、接続面での伝播モード不連続のギャップを軽減させることはできない。その為、特許文献２のような構造の同軸コネクタが提案されている。
下記にＤＣカットを行った文献として、特許文献１（特開２００８−２３６１７４）を挙げ、ＤＣカットを行い、さらに、接続面での伝播モード不連続のギャップを軽減させる文献として、特許文献２（特開２０１０−１９２９８７）を挙げる。
【特許文献１】特開２００８−２３６１７４の要約によると、直流を確実にカットすることができると共にマイクロ波帯やミリ波帯において使用することができ、しかも、簡単な構造で且つ低コストな製造が可能なＤＣカット回路を提供することを目的とし、ＤＣカット回路１は誘電体基板２と入力ストリップライン３と出力ストリップライン４と共振器電極５とグランド電極６とを備え、入，出力ストリップライン３，４は、その開放端部３２，４２を中央部に位置させた状態で、誘電体基板２の表面２０に形成されている。入力及び出力ストリップライン３，４の開放端部３２，４２は、所定距離だけ離されて対向しており、その間に間隙Ｇを有し、共振器電極５は、誘電体基板２の波長の約２分の１の長さに設定され、間隙Ｇと対向するように、誘電体基板２内に形成され、さらに、この共振器電極５は、両開放端部５１，５２が開放端部３２，４２と重なるように、形成されている構造のＤＣカット回路が開示されている。
【特許文献２】特開２０１０−１９２９８７の要約によると、同軸コネクタと平面線路、特に裏面グランド付コプレーナ線路の接続面での伝播モード不連続のギャップを軽減させることを目的とし、同軸線路部１１０の内導体１１１の先端部に、内導体１１１とは断面形状が異なる内導体先端部１２１Ａを形成することで、同軸線路部１１０と裏面グランド付コプレーナ線路２００との間のモード変換を内導体先端部１２１Ａにおいて段階的に変化させ、また、伝搬モード変換部１２０における外導体１２２および内導体先端部１２１Ａと、裏面グランド付コプレーナ線路２００の中心導体２０３および表面グランド２０２と、同軸線路部１１０における外導体１１２と内導体１１１とで、特性インピーダンスが同一となるように内部誘電体層１１３、１２２を形成し、同軸コネクタ１００および裏面グランド付コプレーナ線路２００のインピーダンス整合をとる構造の同軸コネクタ、同軸コネクタ・平面線路接続構造が開示されている。
【発明の開示】
【発明が解決しようとする課題】
【０００３】
同軸線路とマイクロストリップ線路等の平面線路（プリント基板等）との接続箇所では、電磁界分布や特性インピーダンスが不連続となり、また、伝播モードが一致せず、これに起因して不所望な特性が生じるため、これを解消すべく、様々な策が講じられてきた。
特許文献１及び特許文献２を使用して、同軸コネクタ間のＤＣカットをしたものでは、基板を介在させる必要があり、構造が複雑で、入力から出力までの間で不連続部分が発生し、機器が大型化（小型化に逆行）し、部品点数が増えることによるコストアップに繋がってしまう。
上述した中心導体にコンデンサを入れる方法では、コンデンサを入れるスペースが必要で、コネクタの大型化に繋がり、部品点数が増えることによるコストアップに繋がってしまう。
【０００４】
本発明は、このような従来の問題点に鑑みてなされたもので、簡単な構造で結合し、導通不良を生じる可能性がなく、電磁界分布や特性インピーダンスが連続し、また、伝播モードが一致し、材質、長さ、形状の相違による接触抵抗のバラツキがない中心導体間の無線周波数帯の接続構造及び該接続構造を用いる同軸コネクタを提供せんとするものである。
【課題を解決するための手段】
【０００５】
本目的は、請求項１記載のように、少なくとも、２つの接続対象物と接続する中心導体と、該中心導体を保持する絶縁体と、該絶縁体を保持する外部導体と、を備える同軸コネクタであって、
２つの前記同軸コネクタの中心導体間の無線周波数帯の接続構造において、
２つの前記中心導体間に、導電体を配置し、
前記導電体と前記中心導体とを、前記導電体の一部と前記中心導体とがラップし、かつ、非接触状態に保持する保持手段を設けることを特徴とする中心導体間の無線周波数帯の接続構造にすることにより達成できる。
【０００６】
請求項２記載の中心導体間の無線周波数帯の接続構造は、前記保持手段として、筒状のインシュレータ内に、前記導電体を両端が突出しないように軽圧入するか、若しくは、前記導電体を挿入した後に前記インシュレータの両端を別の絶縁性の蓋で栓をするかし、前記導電体が軽圧入されるか、若しくは、蓋がされるかした状態の、前記インシュレータを前記中心導体に装着することを特徴とする請求項１記載の中心導体間の無線周波数帯の接続構造にある。
また、請求項３記載の中心導体間の無線周波数帯の接続構造は、前記保持手段として、前記導電体の両端に、両端を覆う絶縁性の部材を固定し、この状態の前記導電体を前記中心導体に装着することを特徴とする請求項１記載の中心導体間の無線周波数帯の接続構造にある。
さらに、請求項４記載の中心導体間の無線周波数帯の接続構造は、前記導電体及び前記インシュレータの材質、形状及び長さを変えることにより使用周波数帯を変更することを特徴とする請求項１、２または３記載の中心導体間の無線周波数帯の接続構造にある。
【０００７】
請求項５記載の中心導体間の無線周波数帯の接続構造は、前記導電体及び前記インシュレータの長さを、短尺（物理長短縮）にすることにより高域周波数帯用とし、長尺（物理長延長）にすることにより低域周波数帯用とすることを特徴とする請求項４記載の中心導体間の無線周波数帯の接続構造にある。
また、請求項６記載の中心導体間の無線周波数帯の接続構造は、前記導電体の形状を、棒状にすることにより高域周波数帯用とし、コイル状にすることにより波長短縮して低域周波数帯用とすることを特徴とする請求項４または５記載の中心導体間の無線周波数帯の接続構造にある。
さらに、請求項７記載の中心導体間の無線周波数帯の接続構造は、前記インシュレータの材質を、低誘電率にすることにより高域周波数帯用とし、高誘電率にすることにより波長短縮して低域周波数帯用とすることを特徴とする請求項４、５または６記載の中心導体間の無線周波数帯の接続構造にある。
【０００８】
請求項８記載の同軸コネクタは、請求項１〜７項のうちいずれか１項記載の中心導体間の無線周波数帯の接続構造を用いる同軸コネクタにある。
【発明の効果】
【０００９】
以上の説明から明らかなように、本発明の中心導体間の無線周波数帯の接続構造及び該接続構造を用いる同軸コネクタによると、次のような優れた効果が得られる。本発明では、簡単な構造で、接触抵抗が存在せず、導通不良が生じなく、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる中心導体間の無線周波数帯の接続構造である。
【００１０】
（１）請求項１記載のように、少なくとも、２つの接続対象物と接続する中心導体と、該中心導体を保持する絶縁体と、該絶縁体を保持する外部導体と、を備える同軸コネクタであって、２つの前記同軸コネクタの中心導体間の無線周波数帯の接続構造において、２つの前記中心導体間に、導電体を配置し、前記導電体と前記中心導体とを、前記導電体の一部と前記中心導体とがラップし、かつ、非接触状態に保持する保持手段を設けることを特徴とする中心導体間の無線周波数帯の接続構造にしているので、簡単な構造で、非接触のため導通不良が生じなく、電界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
（２）請求項２記載の中心導体間の無線周波数帯の接続構造は、前記保持手段として、筒状のインシュレータ内に、前記導電体を両端が突出しないように軽圧入するか、若しくは、前記導電体を挿入した後に前記インシュレータの両端を別の絶縁性の蓋で栓をするかし、前記導電体が軽圧入されるか、若しくは、蓋がされるかした状態の、前記インシュレータを前記中心導体に装着することを特徴とする請求項１記載の中心導体間の無線周波数帯の接続構造にしているので、簡単な構造で、非接触状態のＤＣカットができ、非接触のため導通不良が生じなく、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
（３）請求項３記載の中心導体間の無線周波数帯の接続構造は、前記保持手段として、前記導電体の両端に、両端を覆う絶縁性の部材を固定し、この状態の前記導電体を前記中心導体に装着することを特徴とする請求項１記載の中心導体間の無線周波数帯の接続構造にしているので、簡単な構造で、非接触状態のＤＣカットができ、非接触のため導通不良が生じなく、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
（４）請求項４記載の中心導体間の無線周波数帯の接続構造は、前記導電体及び前記インシュレータの材質、形状及び長さを変えることにより使用周波数帯を変更することを特徴とする請求項１、２または３記載の中心導体間の無線周波数帯の接続構造にしているので、簡単な構造で、非接触状態のＤＣカットができ、非接触のため導通不良が生じなく、容易に材質、形状及び長さを変えることにより使用周波数帯を変更でき、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
（５）請求項５記載の中心導体間の無線周波数帯の接続構造は、前記導電体及び前記インシュレータの長さを、短尺にすることにより高域周波数帯用とし、長尺にすることにより低域周波数帯用とすることを特徴とする請求項４記載の中心導体間の無線周波数帯の接続構造にしているので、簡単な構造で、非接触状態のＤＣカットができ、非接触のため導通不良が生じなく、容易に長さを変えることにより使用周波数帯を変更でき、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）を抑制することができる。
（６）請求項６記載の中心導体間の無線周波数帯の接続構造は、前記導電体の形状を、棒状にすることにより高域周波数帯用とし、コイル状にすることにより低域周波数帯用とすることを特徴とする請求項４または５記載の中心導体間の無線周波数帯の接続構造にしているので、簡単な構造で、非接触状態のＤＣカットができ、非接触のため導通不良が生じなく、容易に形状を変えることにより使用周波数帯を変更でき、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
（７）請求項７記載の中心導体間の無線周波数帯の接続構造は、前記インシュレータの材質を、低誘電率にすることにより高域周波数帯用とし、高誘電率にすることにより低域周波数帯用とすることを特徴とする請求項４、５または６記載の中心導体間の無線周波数帯の接続構造にしているので、簡単な構造で、非接触状態のＤＣカットができ、非接触のため導通不良が生じなく、容易に材質を変えることにより使用周波数帯を変更でき、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
【００１１】
（８）請求項８記載の同軸コネクタは、請求項１〜７項のうちいずれか１項記載の中心導体間の無線周波数帯の接続構造を用いる同軸コネクタにしているので、簡単な構造で、非接触状態のＤＣカットができ、非接触のため導通不良が生じなく、容易に材質、形状及び長さを変えることにより使用周波数帯を変更でき、電磁界分布や特性インピーダンスが連続し、また、伝播モードが一致し、材質や長さ・形状の相違による接触抵抗のバラツキがなく、接触不安定、接続・接触に纏わるＩＭ（インターモジュレーション）不具合を抑制することができる。
【図面の簡単な説明】
【００１２】
【図１】（Ａ）  本発明の同軸コネクタの斜視図である。（Ｂ）  本発明の同軸コネクタを中心導体の中心で断面した断面図である。
【図２】（Ａ）  別の保持手段で保持した、中心導体とインシュレータと導電体部分と部材の断面図である。（Ｂ）  （Ａ）の部材の斜視図である。（Ｃ）  （Ｂ）の部材を中心で断面した断面図である。
【図３】（Ａ）  棒状の導電体の斜視図である。（Ｂ）  コイル状の導電体の斜視図である。
【図４】（Ａ）  インシュレータの斜視図である。（Ｂ）  （Ａ）のインシュレータの断面図である。
【図５】（Ａ）  中心導体の斜視図である。（Ｂ）  中心導体の断面図である。
【図６】（Ａ）  蓋を挿入方向よりした斜視図である。（Ｂ）  蓋を挿入方向の反対側よりした斜視図である。
【図７】（Ａ）  絶縁体の斜視図である。（Ｂ）  （Ａ）の絶縁体の断面図である。
【図８】（Ａ）  外部導体の斜視図である。（Ｂ）  （Ａ）の外部導体の断面図である。
【図９】（Ａ）  入出力対称で１対の非接触構造を示した半断面図である。（Ｂ）  入出力非対称で１つの非接触構造を示した半断面図である。
【図１０】本図は電圧定在波比（Ｖ．Ｓ．Ｗ．Ｒ．）を表すグラフである。
【発明を実施するための最良の形態】
【００１３】
本発明の特徴は、少なくとも、２つの接続対象物と接続する中心導体１２と、該中心導体１２を保持する絶縁体１４と、該絶縁体１４を保持する外部導体１６と、を備える同軸コネクタ１０であって、２つの前記同軸コネクタ１０の中心導体１２間の無線周波数帯の接続構造において、２つの前記中心導体１２間に、導電体２０、２２を配置し、前記導電体２０、２２と前記中心導体１２とを、前記導電体２０、２２の一部と前記中心導体１２とがラップし、かつ、非接触状態に保持する保持手段を設けることを特徴とする中心導体１２間の無線周波数帯の接続構造である。
つまり、前記導電体２０、２２と前記中心導体１２とを、前記導電体２０、２２の一部と前記中心導体１２とがラップし、かつ、非接触状態に保持するようにすることにより、ＤＣをカットし、無線周波数帯での接続を行ったものである。
【００１４】
図１から図８に基づいて、本発明の中心導体間の無線周波数帯の接続構造及び該接続構造を用いた同軸コネクタについて説明する。図１（Ａ）は本発明の同軸コネクタの斜視図であり、（Ｂ）は本発明の同軸コネクタを中心導体の中心で断面した断面図である。図２は別の保持手段で保持した、中心導体とインシュレータと導電体部分と部材の断面図であり、（Ｂ）は（Ａ）の部材の斜視図であり、（Ｃ）は（Ｂ）の部材を中心で断面した断面図である。図３（Ａ）は棒状の導電体の斜視図であり、（Ｂ）はコイル状の導電体の斜視図である。図４（Ａ）はインシュレータの斜視図であり、（Ｂ）は（Ａ）のインシュレータの断面図ある。図５（Ａ）は中心導体の斜視図であり、（Ｂ）は中心導体の断面図である。図６（Ａ）は蓋を挿入方向よりした斜視図であり、（Ｂ）は蓋を挿入方向の反対側よりした斜視図である。図７（Ａ）は絶縁体の斜視図であり、（Ｂ）は（Ａ）の絶縁体の断面図である。図８（Ａ）外部導体の斜視図であり、（Ｂ）は（Ａ）の外部導体の断面図である。図９（Ａ）は入出力対称で１対の非接触構造を示した半断面図であり、（Ｂ）は入出力非対称で１つの非接触構造を示した半断面図である。図１０は電圧定在波比（Ｖ．Ｓ．Ｗ．Ｒ．）を表すグラフである。
【００１５】
本発明の接続構造を用いた同軸コネクタ１０は、少なくとも、３つの中心導体１２、１２と絶縁体１４と外部導体１６とインシュレータ１８と導電体２０とを備えている。
【００１６】
図に基づいて、同軸コネクタ１０の構成部品について説明する。まず、導電体２０、２２について説明する。前記導電体２０、２２の材質は金属製であり、公知技術の切削や成形等により作成され、導電性や寸法安定性や加工性等が要求されるので、銅合金やアルミニウムやステンレス鋼等が使用されている。
【００１７】
前記導電体２０、２２は、前記中心導体１２に、一部がラップし、非接触状態に保持されることで、ＤＣカットができる構造になっている。前記導電体２０、２２の形状及び長さを変えることで、使用周波数帯を変更することができる。
【００１８】
図３（Ａ）のように棒状の導電体２０の代わりに、図３（Ｂ）のようにコイル状の導電体２２を使用することで波長短縮し、低域周波数帯用として使用できる。
【００１９】
次に、前記インシュレータ１８について説明する。前記インシュレータ１８には、前記導電体２０、２２が前記中心導体１２と一部がラップし、非接触状態に保持されることで、ＤＣカットができる構造になっている。前記インシュレータ１８は、電気絶縁性の絶縁物で、公知技術の射出成型や切削やペイント等により作成されている。
【００２０】
前記インシュレータ１８は材質を変えることで、使用周波数帯を変更することができる。つまり、低誘電率の材料を使用することで高域周波数帯用で、高誘電率の材料を使用することで波長短縮して低域周波数帯用として使用できる。
【００２１】
前記インシュレータ１８は略円筒形をし、前記インシュレータ１８には前記導電体２０、２２が挿入される挿入孔１８１が設けられている。前記インシュレータ１８の長さは、前記導電体２０、２２の長さに沿い、かつ、前記導電体２０、２２の一部と前記中心導体１２がラップするように適宜設計する。
【００２２】
ここで、前記導電体２０、２２の前記インシュレータ１８への保持手段について説明する。棒状の前記導電体２０の保持方法について説明する。１つ目の方法としては、前記導電体２０が突出しないように、前記インシュレータ１８に軽圧入する方法がある。この場合、前記インシュレータ１８の挿入孔１８１を、前記導電体２０の外形寸法より０〜０．０８ｍｍ程度小さくしておく。
【００２３】
２つ目の方法としては、前記導電体２０を前記インシュレータ１８の挿入孔１８１内に挿入した後に、前記インシュレータ１８の両端に蓋２４をする方法がある（前記蓋２４で前記挿入孔１８１を塞ぎ、前記導電体２０が突出しないようにする）。
【００２４】
３つ目の方法としては、前記導電体２０の両端に、両端を覆う絶縁性の部材２６を固定し、この状態の前記導電体２０（前記部材２６が固定された状態）を前記中心導体１２に装着する方法がある。
【００２５】
４つ目の方法としては、前記中心導体１２の内面または前記導電体２０の外面に予めペイントを施し、それぞれを装着する方法がある。
【００２６】
コイル状の前記導電体２２の保持方法は、上述した２つ目と同様に、前記導電体２２を前記インシュレータ１８の挿入孔１８１内に挿入した後に、前記インシュレータ１８の両端に蓋２４をする方法である（前記蓋２４で前記挿入孔１８１を塞ぎ、前記導電体２２が突出しないようにする）。また、前記コイル状導電体２２も４つ目と同様である。
【００２７】
ここで、前記蓋２４と前記部材２６について説明する。前記蓋２４と前記部材２６は電気絶縁性の絶縁物で、公知技術の射出成型や切削やペイント等により製作され、この材質としては寸法安定性や加工性やコスト等を考慮して適宜選択するが、一般的には、ポリテトラフルエチレン（ＰＴＦＥ）やポリブチレンテレフタレート（ＰＢＴ）やポリアミド（６６ＰＡ、４６ＰＡ）や液晶ポリマー（ＬＣＰ）やポリカーボネート（ＰＣ）やガラス（Ｇｌａｓｓ）やセラミックス（Ｃｅｒａｍｉｃｓ）やポリメタクリル酸メチル（ＰＭＭＡ）やポリウレタン（ＰＵ）やエポキシ樹脂（ＥＰ）や空気（Ａｉｒ）やこれらの合成材料を挙げることができる。前記蓋２４と前記部材２６の形状・大きさは、上記のような役割や小型化や軽量化等を考慮して適宜設計する。
【００２８】
次に、前記中心導体１２について説明する。前記中心導体１２は金属製であり、公知技術のプレス加工によって製作されている。前記中心導体１２の材質としては、バネ性や導電性などが要求されるので、黄銅やベリリウム銅やリン青銅等を挙げることができる。前記中心導体１２は略円筒形をしており、少なくとも、一方側には接続対象物と接触する接触部１２１と他方側には前記インシュレータ１８若しくは前記部材２６が入る挿入溝１２３を有している。本実施例の接続対象物は相手コネクタである。ほぼ中央部の近傍には、前記絶縁体１４に保持するための保持部１２２が設けられている。
【００２９】
前記接触部１２１は、相手コネクタのコンタクトと接触する部分であって、本実施例ではピン形状になっており、該ピン形状部分は相手コンタクトに挿入され、接触する。前記接触部１２１の形状・大きさは、相手コンタクトの形状に沿い、安定した接続が得られるように適宜設計する。
【００３０】
前記挿入溝１２３は、前記インシュレータ１８若しくは前記部材２６が挿入できればよい。前記挿入溝１２３の形状・大きさは、前記インシュレータ１８若しくは前記部材２６の形状・大きさに沿い、上記役割（非接触状態でＤＣカットができる）ができるように適宜設計する。
【００３１】
前記保持部１２２は、前記絶縁体１４の固定できればよく、保持力やコネクタの小型化や寸法安定性や加工性等を考慮して適宜設計する。
【００３２】
次に、絶縁体１４について説明する。この絶縁体１４は電気絶縁性のプラスチックであり、公知技術の射出成形や切削やペイント等によって製作され、この材質としては寸法安定性や加工性やコスト等を考慮して適宜選択するが、一般的にはポリテトラフルエチレン（ＰＴＦＥ）やポリブチレンテレフタレート（ＰＢＴ）やポリアミド（６６ＰＡ、４６ＰＡ）や液晶ポリマー（ＬＣＰ）やポリカーボネート（ＰＣ）やガラス（Ｇｌａｓｓ）やセラミックス（Ｃｅｒａｍｉｃｓ）やポリメタクリル酸メチル（ＰＭＭＡ）やポリウレタン（ＰＵ）やエポキシ樹脂（ＥＰ）や空気（Ａｉｒ）やこれらの合成材料を挙げることができる。
【００３３】
前記絶縁体１４は略円筒形をし、その中心には前記中心導体１２が装着される挿入穴１４１が設けられており、圧入や引っ掛け（ランス）や溶着や挿入等によって固定されている。前記挿入穴１４１は、前記中心導体１２が入ればよく、保持力や加工性等を考慮して適宜設計する。
【００３４】
最後に、前記外部導体１６について説明する。この外部導体１６は金属製であり、公知技術の鋳造及び切削等によって製作され、これらの材料としては、寸法安定性や加工性や強度などを考慮すると、銅合金や亜鉛ダイキャストやアルミダイキャスト等を挙げることができる。
【００３５】
前記外部導体１６は略筒状をしている。前記外部導体１６には、貫通した貫通孔１８１が設けられており、前記貫通孔１８１に２つの前記絶縁体１４（前記中心導体１２が保持られた状態の）が装着されている。前記貫通孔１８１は、前記絶縁体１４が入ればよく、保持力や加工性等を考慮して適宜設計する。
【００３６】
上記で説明した本発明は、入出力対称で１対の非接触構造であるが、入出力非対称で１つの非接触構造においても適用できる。その例を図９に示す。
【００３７】
図１０は電圧定在波比（Ｖ．Ｓ．Ｗ．Ｒ．）を表すグラフである。つまり、グラフは、高域周波数帯と低域周波数帯を表したものである。
【産業上の利用可能性】
【００３８】
本発明は、電気・電子機器や通信機器に使用される同軸コネクタに関するもので、特に、中心導体間の無線周波数帯の接続構造に関するものである。
【符号の説明】
【００３９】
１０          同軸コネクタ
１２          中心導体
１２１        接触部
１２２        保持部
１２３        挿入溝
１４          絶縁体
１４１        挿入穴
１６          外部導体
１６１        貫通孔
１８          インシュレータ
１８１        挿入孔
２０、２２    導電体
２４          蓋
２６          部材
【図１】
2013051162.tif 000003
【図２】
2013051162.tif 000004
【図３】
2013051162.tif 000005
【図４】
2013051162.tif 000006
【図５】
2013051162.tif 000007
【図６】
2013051162.tif 000008
【図７】
2013051162.tif 000009
【図８】
2013051162.tif 000010
【図９】
2013051162.tif 000011
【図１０】
2013051162.tif 000012